(57)【要約】  アップリンク送信をプロビジョニングするためのネットワークノード、無線デバイス、および方法が提供される。一実施形態では、ネットワークノードは、少なくとも１つのランダムアクセス（ＲＡ）メッセージを送信することと、応答メッセージを受信することとを行うように設定された、ノード処理回路要素を含む。少なくとも１つのＲＡメッセージは、無線リソースの指示を含み、無線リソースは、少なくとも１つのＲＡメッセージに応答するためのアップリンク送信のための複数の時間ロケーションにおいて有効である。応答メッセージは、アップリンク送信のための複数の時間ロケーションのうちの１つに従って受信される。【選択図】図４
2020505837.tif 000002
【特許請求の範囲】
【請求項１】
アップリンク送信をプロビジョニングするためのネットワークノード（１６）であって、前記ネットワークノードが、
ノード処理回路要素（２４）を備え、前記ノード処理回路要素（２４）が、
少なくとも１つのランダムアクセス（ＲＡ）メッセージを送信すること（Ｓ１１０）であって、前記少なくとも１つのＲＡメッセージが、無線リソースの指示を含み、前記無線リソースが、前記少なくとも１つのＲＡメッセージに応答するためのアップリンク送信のための複数の時間ロケーションにおいて有効である、少なくとも１つのＲＡメッセージを送信すること（Ｓ１１０）と、
応答メッセージを受信すること（Ｓ１１２）であって、前記応答メッセージが、アップリンク送信のための前記複数の時間ロケーションのうちの１つに従って受信される、応答メッセージを受信すること（Ｓ１１２）と
を行うように設定された、
ネットワークノード（１６）。
【請求項２】
前記少なくとも１つのＲＡメッセージが、単一のＲＡメッセージであり、前記複数の時間ロケーションが、
第１のタイプの無線デバイスのための第１の時間ロケーションと、
第２のタイプの無線デバイスのための第２の時間ロケーションと
を含む、請求項１に記載のネットワークノード。
【請求項３】
第１のタイプの無線デバイスのための前記第１の時間ロケーションが、第２のタイプの無線デバイスのための前記第２の時間ロケーションとは異なり、前記第２の時間ロケーションが、前記第１の時間ロケーションのシグナリングレイテンシと比較して、シグナリングレイテンシを低減する、請求項２に記載のネットワークノード。
【請求項４】
前記ノード処理回路要素（２４）は、
前記応答メッセージが前記複数の時間ロケーションのうちの第１の時間ロケーションにおいて受信されるという決定に応答して、前記応答メッセージを送信した無線デバイスが、制御プレーンメッセージを第１のレートで処理することが可能であると推論することと、
前記応答メッセージが前記複数の時間ロケーションのうちの第２の時間ロケーションに従って受信されるという決定に応答して、前記応答メッセージを送信した前記無線デバイスが、制御プレーンメッセージを、前記第１のレートよりも遅い第２のレートで処理することが可能であると推論することと
を行うように更に設定された、請求項１に記載のネットワークノード。
【請求項５】
前記ノード処理回路要素は、
前記無線デバイスに更なるメッセージを送信すること（Ｓ１１３）であって、前記更なるメッセージが、前記無線デバイスがアップリンクメッセージを送信するためのリソースのグラントを含み、前記リソースが、
前記応答メッセージが前記複数の時間ロケーションのうちの第１の時間ロケーションにおいて受信されるという決定に応答する、第３の時間ロケーションにおけるリソースと、
前記応答メッセージが前記複数の時間ロケーションのうちの第２の時間ロケーションにおいて受信されるという決定に応答する、第４の時間ロケーションにおけるリソースと
のうちの１つを含む、更なるメッセージを送信すること（Ｓ１１３）
を行うように更に設定された、請求項１に記載のネットワークノード。
【請求項６】
前記第１の時間ロケーションが、前記ＲＡメッセージの送信から第１の時間後であり、前記第３の時間ロケーションが、前記更なるメッセージの送信から前記第１の時間後であり、前記第２の時間ロケーションが、前記ＲＡメッセージの送信から第２の時間後であり、前記第４の時間ロケーションが、前記更なるメッセージの送信から前記第２の時間後である、請求項５に記載のネットワークノード。
【請求項７】
前記複数の時間ロケーションが、第１の時間ロケーションと、前記第１の時間ロケーションとは異なる第２の時間ロケーションとを含み、
前記第１の時間ロケーションが、前記アップリンク送信のためのサブフレームｎ＋ｋ１を指示し、ここで、ｋ１が、６以上のうちの１つであり、
前記第２の時間ロケーションが、前記アップリンク送信のためのサブフレームｎ＋ｋ２を指示し、ここで、ｋ２が６よりも小さい、
請求項１に記載のネットワークノード。
【請求項８】
前記ノード処理回路要素（２４）が、ＲＡプリアンブルメッセージを受信するように更に設定され、前記ＲＡメッセージが、前記受信されたＲＡプリアンブルメッセージに応答して送信される、請求項１から７のいずれか一項に記載のネットワークノード。
【請求項９】
前記ノード処理回路要素（２４）が、前記少なくとも１つのＲＡメッセージに応答するために無線デバイスによって従われるべきタイミングプロシージャの指示を送信するように更に設定された、請求項１から８のいずれか一項に記載のネットワークノード。
【請求項１０】
アップリンク送信をプロビジョニングするためのネットワークノード（１６）のための方法であって、前記方法は、
少なくとも１つのランダムアクセス（ＲＡ）メッセージを送信すること（Ｓ１１０）であって、前記少なくとも１つのＲＡメッセージが、無線リソースの指示を含み、前記無線リソースが、前記少なくとも１つのＲＡメッセージに応答するためのアップリンク送信のための複数の時間ロケーションにおいて有効である、少なくとも１つのＲＡメッセージを送信すること（Ｓ１１０）と、
応答メッセージを受信すること（Ｓ１１２）であって、前記応答メッセージが、アップリンク送信のための前記複数の時間ロケーションのうちの１つに従って受信される、応答メッセージを受信すること（Ｓ１１２）と
を含む、方法。
【請求項１１】
前記少なくとも１つのＲＡメッセージが、単一のＲＡメッセージであり、前記複数の時間ロケーションが、
第１のタイプの無線デバイスのための第１の時間ロケーションと、
第２のタイプの無線デバイスのための第２の時間ロケーションと
を含む、請求項１０に記載の方法。
【請求項１２】
第１のタイプの無線デバイスのための前記第１の時間ロケーションが、第２のタイプの無線デバイスのための前記第２の時間ロケーションとは異なり、前記第２の時間ロケーションが、前記第１の時間ロケーションのシグナリングレイテンシと比較して、シグナリングレイテンシを低減する、請求項１１に記載の方法。
【請求項１３】
前記応答メッセージが前記複数の時間ロケーションのうちの第１の時間ロケーションにおいて受信されるという決定に応答して、前記応答メッセージを送信した無線デバイスが、制御プレーンメッセージを第１のレートで処理することが可能であると推論することと、
前記応答メッセージが前記複数の時間ロケーションのうちの第２の時間ロケーションに従って受信されるという決定に応答して、前記応答メッセージを送信した前記無線デバイスが、制御プレーンメッセージを、前記第１のレートよりも遅い第２のレートで処理することが可能であると推論することと
を更に含む、請求項１０に記載の方法。
【請求項１４】
前記無線デバイス（１８）に更なるメッセージを送信すること（Ｓ１１３）であって、前記更なるメッセージが、前記無線デバイスがアップリンクメッセージを送信するためのリソースのグラントを含み、前記リソースが、
前記応答メッセージが前記複数の時間ロケーションのうちの第１の時間ロケーションにおいて受信されるという決定に応答する、第３の時間ロケーションにおけるリソースと、
前記応答メッセージが前記複数の時間ロケーションのうちの第２の時間ロケーションにおいて受信されるという決定に応答する、第４の時間ロケーションにおけるリソースと
のうちの１つを含む、更なるメッセージを送信すること（Ｓ１１３）
を更に含む、請求項１０に記載の方法。
【請求項１５】
前記第１の時間ロケーションが、前記ＲＡメッセージの送信から第１の時間後であり、前記第３の時間ロケーションが、前記更なるメッセージの送信から前記第１の時間後であり、前記第２の時間ロケーションが、前記ＲＡメッセージの送信から第２の時間後であり、前記第４の時間ロケーションが、前記更なるメッセージの送信から前記第２の時間後である、請求項１４に記載の方法。
【請求項１６】
前記複数の時間ロケーションが、第１の時間ロケーションと、前記第１の時間ロケーションとは異なる第２の時間ロケーションとを含み、
前記第１の時間ロケーションが、前記アップリンク送信のためのサブフレームｎ＋ｋ１を指示し、ここで、ｋ１が、６以上のうちの１つであり、
前記第２の時間ロケーションが、前記アップリンク送信のためのサブフレームｎ＋ｋ２を指示し、ここで、ｋ２が６よりも小さい、
請求項１０に記載の方法。
【請求項１７】
ＲＡプリアンブルメッセージを受信することを更に含み、前記ＲＡメッセージが、前記受信されたＲＡプリアンブルメッセージに応答して送信される、請求項１０から１６のいずれか一項に記載の方法。
【請求項１８】
前記少なくとも１つのＲＡメッセージに応答するために無線デバイスによって従われるべきタイミングプロシージャの指示を送信することを更に含む、請求項１０から１７のいずれか一項に記載の方法。
【請求項１９】
無線デバイス（１８）であって、
デバイス処理回路要素（３６）を備え、前記デバイス処理回路要素（３６）が、
少なくとも１つのランダムアクセス（ＲＡ）メッセージを受信すること（Ｓ１１４）であって、前記少なくとも１つのＲＡメッセージが、無線リソースの指示を含み、前記無線リソースが、前記受信された少なくとも１つのＲＡメッセージに応答するためのアップリンク送信のための複数の時間ロケーションにおいて有効である、少なくとも１つのＲＡメッセージを受信すること（Ｓ１１４）と、
アップリンク送信のための前記複数の時間ロケーションのうちの１つに従って、応答メッセージを送信すること（Ｓ１１６）と
を行うように設定された、
無線デバイス（１８）。
【請求項２０】
前記少なくとも１つのＲＡメッセージが、単一のＲＡメッセージであり、前記複数の時間ロケーションが、
第１のタイプの無線デバイスのための第１の時間ロケーションと、
第２のタイプの無線デバイスのための第２の時間ロケーションと
を含み、
前記送信された応答メッセージが、前記第１のタイプの無線デバイスのための前記第１の時間ロケーションと、前記第２のタイプの無線デバイスのための前記第２の時間ロケーションとのうちの１つに従って送信される、
請求項１９に記載の無線デバイス。
【請求項２１】
前記第１のタイプの無線デバイスが、レガシー無線デバイスであり、
前記第２のタイプの無線デバイスが、非レガシー無線デバイスである、
請求項２０に記載の無線デバイス。
【請求項２２】
第１のタイプの無線デバイスのための前記第１の時間ロケーションが、第２のタイプの無線デバイスのための前記第２の時間ロケーションとは異なり、前記第２の時間ロケーションが、前記第１の時間ロケーションのシグナリングレイテンシと比較して、シグナリングレイテンシを低減する、請求項２０に記載の無線デバイス。
【請求項２３】
前記デバイス処理回路要素（３６）が、
更なるメッセージを受信すること（Ｓ１１８）であって、前記更なるメッセージが、前記無線デバイスがアップリンクメッセージを送信するためのリソースのグラントを含み、前記リソースが、
前記応答メッセージが前記複数の時間ロケーションのうちの第１の時間ロケーションにおいて送信されたという決定に応答する、第３の時間ロケーションにおけるリソースと、
前記応答メッセージが前記複数の時間ロケーションのうちの第２の時間ロケーションにおいて送信されたという決定に応答する、第４の時間ロケーションにおけるリソースと
を含む、更なるメッセージを受信すること（Ｓ１１８）
を行うように更に設定された、請求項１９に記載の無線デバイス。
【請求項２４】
前記第１の時間ロケーションが、前記ＲＡメッセージの送信から第１の時間後であり、前記第３の時間ロケーションが、前記更なるメッセージの送信から前記第１の時間後であり、前記第２の時間ロケーションが、前記ＲＡメッセージの送信から第２の時間後であり、前記第４の時間ロケーションが、前記更なるメッセージの送信から前記第２の時間後である、請求項２３に記載の無線デバイス。
【請求項２５】
前記複数の時間ロケーションが、第１の時間ロケーションと、前記第１の時間ロケーションとは異なる第２の時間ロケーションとを含み、
前記第１の時間ロケーションが、前記アップリンク送信のためのサブフレームｎ＋ｋ１を指示し、ここで、ｋ１が、６以上のうちの１つであり、
前記第２の時間ロケーションが、前記アップリンク送信のためのサブフレームｎ＋ｋ２を指示し、ここで、ｋ２が６よりも小さい、
請求項１９に記載の無線デバイス。
【請求項２６】
前記デバイス処理回路要素（３６）が、ＲＡプリアンブルメッセージを送信するように更に設定され、前記ＲＡメッセージが、前記送信されたＲＡプリアンブルメッセージに応答して受信される、請求項１９から２５のいずれか一項に記載の無線デバイス。
【請求項２７】
前記デバイス処理回路要素（３６）が、前記少なくとも１つのＲＡメッセージに応答するために前記無線デバイスによって従われるべきタイミングプロシージャの指示を受信するように更に設定された、請求項１９から２６のいずれか一項に記載の無線デバイス。
【請求項２８】
無線デバイス（１８）のための方法であって、
少なくとも１つのランダムアクセス（ＲＡ）メッセージを受信すること（Ｓ１１４）であって、前記少なくとも１つのＲＡメッセージが、無線リソースの指示を含み、前記無線リソースが、前記受信された少なくとも１つのＲＡメッセージに応答するためのアップリンク送信のための複数の時間ロケーションにおいて有効である、少なくとも１つのＲＡメッセージを受信すること（Ｓ１１４）と、
アップリンク送信のための前記複数の時間ロケーションのうちの１つに従って、応答メッセージを送信すること（Ｓ１１６）と
を含む、方法。
【請求項２９】
前記少なくとも１つのＲＡメッセージが、単一のＲＡメッセージであり、前記複数の時間ロケーションが、
第１のタイプの無線デバイスのための第１の時間ロケーションと、
第２のタイプの無線デバイスのための第２の時間ロケーションと
を含み、
前記送信された応答メッセージが、前記第１のタイプの無線デバイスのための前記第１の時間ロケーションと、前記第２のタイプの無線デバイスのための前記第２の時間ロケーションとのうちの１つに従って送信される、
請求項２８に記載の方法。
【請求項３０】
前記第１のタイプの無線デバイスが、レガシー無線デバイスであり、
前記第２のタイプの無線デバイスが、非レガシー無線デバイスである、
請求項２９に記載の方法。
【請求項３１】
第１のタイプの無線デバイスのための前記第１の時間ロケーションが、第２のタイプの無線デバイスのための前記第２の時間ロケーションとは異なり、前記第２の時間ロケーションが、前記第１の時間ロケーションのシグナリングレイテンシと比較して、シグナリングレイテンシを低減する、請求項２９に記載の方法。
【請求項３２】
更なるメッセージを受信すること（Ｓ１１８）であって、前記更なるメッセージが、前記無線デバイスがアップリンクメッセージを送信するためのリソースのグラントを含み、前記リソースが、
前記応答メッセージが前記複数の時間ロケーションのうちの第１の時間ロケーションにおいて送信されたという決定に応答する、第３の時間ロケーションにおけるリソースと、
前記応答メッセージが前記複数の時間ロケーションのうちの第２の時間ロケーションにおいて送信されたという決定に応答する、第４の時間ロケーションにおけるリソースと
を含む、更なるメッセージを受信すること（Ｓ１１８）
を更に含む、請求項２８に記載の方法。
【請求項３３】
前記第１の時間ロケーションが、前記ＲＡメッセージの送信から第１の時間後であり、前記第３の時間ロケーションが、前記更なるメッセージの送信から前記第１の時間後であり、前記第２の時間ロケーションが、前記ＲＡメッセージの送信から第２の時間後であり、前記第４の時間ロケーションが、前記更なるメッセージの送信から前記第２の時間後である、請求項３２に記載の方法。
【請求項３４】
前記複数の時間ロケーションが、第１の時間ロケーションと、前記第１の時間ロケーションとは異なる第２の時間ロケーションとを含み、
前記第１の時間ロケーションが、前記アップリンク送信のためのサブフレームｎ＋ｋ１を指示し、ここで、ｋ１が、６以上のうちの１つであり、
前記第２の時間ロケーションが、前記アップリンク送信のためのサブフレームｎ＋ｋ２を指示し、ここで、ｋ２が６よりも小さい、
請求項２８に記載の方法。
【請求項３５】
ＲＡプリアンブルメッセージを送信することを更に含み、前記ＲＡメッセージが、前記送信されたＲＡプリアンブルメッセージに応答して受信される、請求項２８から３４のいずれか一項に記載の方法。
【請求項３６】
前記少なくとも１つのＲＡメッセージに応答するために前記無線デバイスによって従われるべきタイミングプロシージャの指示を受信することを更に含む、請求項２８から３５のいずれか一項に記載の方法。
【発明の詳細な説明】
【技術分野】
【０００１】
本開示は、無線通信に関し、詳細には、レイテンシ低減のためのアップリンクグラント（ｕｐｌｉｎｋ  ｇｒａｎｔ）のオーバープロビジョニングに関する。
【背景技術】
【０００２】
図１は、図２で説明されるランダムアクセス（ＲＡ：Ｒａｎｄｏｍ  Ａｃｃｅｓｓ）シグナリングを実施するための、ＬＴＥにおけるＲＡのためのシステムのブロック図である。システム１０は、（まとめて無線デバイス１１と呼ばれる）１つまたは複数の無線デバイス１１ａ〜ｎと、１つまたは複数のネットワークノード１２とを含む。システム１０などの現代のセルラー無線システムでは、無線ネットワークは、無線デバイス１１の挙動に対する厳しい制御を有する。周波数、タイミング、および電力のようなアップリンク送信パラメータが、基地局から端末へのダウンリンク制御シグナリングを介して規制される。たとえば、アップリンク（ＵＬ）送信を時間整合することによって、無線デバイス間の直交性が時間領域において達成され得、これは、無線リソースが乏しいので必要である。本明細書で使用されるＵＬは、無線デバイスからネットワークノードへの送信を指す。
【０００３】
電源投入時に、または長い待機時間の後に、無線デバイス１１、たとえば、ユーザ機器（ＵＥ）、端末などは、アップリンクにおいて同期されない。無線デバイスは、ダウンリンク（制御）信号からアップリンク周波数と電力推定値とを導出することができる。しかしながら、ネットワークノード１２、たとえば、基地局、ｅノードＢなどと、無線デバイス１１との間のラウンドトリップ伝搬遅延は知られていないので、タイミング推定を行うことは困難である。したがって、無線デバイスアップリンクタイミングが、ダウンリンクに同期される場合でも、それは、伝搬遅延のために、ネットワークノード１２の受信機に到着するのが遅すぎることがある。したがって、トラフィックを開始する前に、無線デバイスは、ネットワークに対してランダムアクセス（ＲＡ）プロシージャを遂行しなければならない。ＲＡの後に、ネットワークノードは、無線デバイス１１のアップリンクのタイミング不整合を推定し、補正メッセージを送ることができる。
【０００４】
通常、無線デバイス１１がネットワークへのアクセスを要求するために、物理ランダムアクセスチャネル（ＰＲＡＣＨ）が提供される。良好な自己相関をもつ固有のシーケンスに基づくＲＡプリアンブルが、使用される。複数の無線デバイス１１が、同時にアクセスを要求することができるので、要求側無線デバイス間で衝突が発生することがある。無線デバイス１１の送信を分離するために、競合解消（ｃｏｎｔｅｎｔｉｏｎ  ｒｅｓｏｌｕｔｉｏｎ）方式が実装されなければならない。ＲＡを実施する異なる無線デバイス１１を区別するために、一般に、多くの異なるプリアンブルが存在する。ＲＡを実施する無線デバイス１１は、プールの中からプリアンブルをランダムに選び、そのプリアンブルを送信する。プリアンブルは、ランダム無線デバイスＩＤを表し、ランダム無線デバイスＩＤは、ネットワークへのアクセスを無線デバイスにグラントする（ｇｒａｎｔ）ときにネットワークノード１２によって使用され得る。ネットワークノード１２の受信機は、異なるプリアンブルを用いて実施されたＲＡ試みを解決し、対応するランダム無線デバイスＩＤを使用して各無線デバイス１１に応答メッセージを送る。複数の無線デバイス１１が同じプリアンブルを同時に使用する場合、衝突が発生し、ネットワークノード１２は、同じランダム無線デバイスＩＤをもつ２つの無線デバイスを区別することができないので、ＲＡ試みが成功しない可能性が極めて高いことになる。衝突の確率を最小限に抑えるために、利用可能なシーケンスのセットは、大きいものであるべきである。
【０００５】
図２は、３ＧＰＰ  ＴＳ  ３６．３２１および３６．２１３において規定されているＬＴＥにおけるランダムアクセスシグナリングのブロック図である。無線デバイス１１が、ＲＡプリアンブルメッセージ、すなわち、メッセージ１またはＭｓｇ１をネットワークノード１２に送信する（ブロックＳ１００）。ネットワークノード１２は、ＲＡ応答メッセージを送信する（ブロックＳ１０２）。ＲＡ応答メッセージは、３ＧＰＰ  ＴＳ  ３６．３２１および３６．２１３において規定されている、当技術分野において知られているタイミングアドバンス、アップリンクグラントおよび他の情報を含む。無線デバイス１１は、ＲＡメッセージ３、すなわち、ｍｓｇ３をネットワークノード１２に送信する（ブロックＳ１０４）。ＲＡメッセージ３は、３ＧＰＰ  ＴＳ  ３６．３２１および３６．２１３において規定されている、当技術分野において知られている無線デバイス識別情報、バッファステータス報告（ＢＳＲ）、および他の情報を含み得る。ネットワークノード１２は、ＲＡ競合解消メッセージを無線デバイス１１に送信する（ブロックＳ１０６）。ＲＡ競合解消メッセージは、３ＧＰＰ  ＴＳ  ３６．３２１および３６．２１３において規定されている、ＵＬグラント、ＤＬ割り振りおよび他の情報を含み得る。無線デバイス１１およびネットワークノード１２は、更なるアップリンクおよび／またはダウンリンク送信に参加する（ブロックＳ１０８）。
【０００６】
ネットワークノード１２の受信機は、プリアンブルを検出するためにすべてのＲＡ機会においてリッスンする。プリアンブルが成功裡に検出された場合、たとえば、検出されたプリアンブルの数、タイミングアドバンス情報、およびＵＬ送信についてのＵＬグラントを含むＲＡ応答（たとえば、ＲＡプロシージャのステップ３におけるＭｓｇ３）が、ダウンリンク（ＤＬ）上で特殊メッセージ中で送られる。ＲＡ応答中に含まれるＵＬグラントは、これ以降、ＲＡ応答グラント（ＲＡ  ｒｅｓｐｏｎｓｅ  ｇｒａｎｔ）と呼ばれる。
【０００７】
ＲＡプリアンブル送信を最近実施した無線デバイス１１は、ＲＡ応答を受信するために、プリアンブルが送られた後のある時間ウィンドウ内にリッスンしている。ＲＡ応答の受信の成功の場合、無線デバイス１１は、ＲＡプロシージャのブロックＳ１０４およびＳ１０６を続ける。指定されたウィンドウ内にＲＡ応答が受信されない場合、新しい試みが行われる。
【０００８】
ＲＡ応答を受信した後に、無線デバイス１１は、メッセージを復号し、封入されたＲＡ応答グラントを読み取る。したがって、無線デバイス１１は、このグラントを使用してＲＡ  ｍｓｇ３を送る。ＬＴＥでは、グラントのタイミングは、規格によって、およびグラント内のフラグによって与えられる。
【０００９】
ＬＴＥでは、無線デバイス１１は、ＲＡ応答中のＵＬグラント情報に従って、ＵＬ遅延フィールドがゼロに設定されている場合、ＵＬ−ＳＣＨトランスポートブロックを第１のサブフレームｎ＋ｋ１、ｋ１≧６中で送信し、ここで、ｎ＋ｋ１は、ＰＵＳＣＨ送信のための第１の利用可能なＵＬサブフレームである。無線デバイス１１は、ＵＬ遅延フィールドが１に設定されている場合、ＰＵＳＣＨ送信を、ｎ＋ｋ１後の次の利用可能なＵＬサブフレームに延期する。
【発明の概要】
【００１０】
いくつかの実施形態は、有利には、レイテンシ低減のためのアップリンクグラントのオーバープロビジョニングのための方法、ネットワークノードおよび無線デバイスを提供する。
【００１１】
本開示の一態様によれば、アップリンク送信をプロビジョニングするためのネットワークノードが提供される。ネットワークノードは、少なくとも１つのランダムアクセス（ＲＡ）メッセージを送信することと、応答メッセージを受信することとを行うように設定された、ノード処理回路要素を含む。少なくとも１つのＲＡメッセージは、無線リソースの指示を含み、無線リソースは、少なくとも１つのＲＡメッセージに応答するためのアップリンク送信のための複数の時間ロケーションにおいて有効である。応答メッセージは、アップリンク送信のための複数の時間ロケーションのうちの１つに従って受信される。
【００１２】
この態様の一実施形態によれば、少なくとも１つのＲＡメッセージは、第１のＲＡメッセージと第２のＲＡメッセージとを含む。第１のＲＡメッセージは、第１のＲＡメッセージに応答するためのアップリンク送信のための、複数の時間ロケーションのうちの第１の時間ロケーションを指示する。第２のＲＡメッセージは、第２のＲＡメッセージに応答するためのアップリンク送信のための、第１の時間ロケーションとは異なる複数の時間ロケーションのうちの第２の時間ロケーションを指示する。
【００１３】
この態様の一実施形態によれば、少なくとも１つのＲＡメッセージは、単一のＲＡメッセージである。複数の時間ロケーションは、第１のタイプの無線デバイスのための第１の時間ロケーションと、第２のタイプの無線デバイスのための第２の時間ロケーションとを含む。この態様の一実施形態によれば、第１のタイプの無線デバイスのための第１の時間ロケーションは、第２のタイプの無線デバイスのための第２の時間ロケーションと同じである。
【００１４】
この態様の一実施形態によれば、第１のタイプの無線デバイスは、レガシー無線デバイスである。第２のタイプの無線デバイスは、非レガシー無線デバイスである。この態様の一実施形態によれば、第１のタイプの無線デバイスのための第１の時間ロケーションは、第２のタイプの無線デバイスのための第２の時間ロケーションとは異なる。第２の時間ロケーションは、第１の時間ロケーションのシグナリングレイテンシと比較して、シグナリングレイテンシを低減する。この態様の一実施形態によれば、複数の時間ロケーションは、第１の時間ロケーションと、第１の時間ロケーションとは異なる第２の時間ロケーションとを含む。第１の時間ロケーションは、アップリンク送信のためのサブフレームｎ＋ｋ１を指示し、ここで、ｋ１が、６以上のうちの１つであり、第２の時間ロケーションは、アップリンク送信のためのサブフレームｎ＋ｋ２を指示し、ここで、ｋ２が６よりも小さい。この態様の一実施形態によれば、ノード処理回路要素は、ＲＡプリアンブルメッセージを受信するように更に設定される。ＲＡメッセージは、受信されたＲＡプリアンブルメッセージに応答して送信される。
【００１５】
本開示の別の態様によれば、アップリンク送信をプロビジョニングするためのネットワークノードのための方法が提供される。少なくとも１つのランダムアクセス（ＲＡ）メッセージが、送信される。少なくとも１つのＲＡメッセージは、無線リソースの指示を含み、無線リソースは、少なくとも１つのＲＡメッセージに応答するためのアップリンク送信のための複数の時間ロケーションにおいて有効である。応答メッセージが受信される。応答メッセージは、アップリンク送信のための複数の時間ロケーションのうちの１つに従って受信される。
【００１６】
この態様の一実施形態によれば、少なくとも１つのＲＡメッセージは、第１のＲＡメッセージと第２のＲＡメッセージとを含む。第１のＲＡメッセージは、第１のＲＡメッセージに応答するためのアップリンク送信のための、複数の時間ロケーションのうちの第１の時間ロケーションを指示する。第２のＲＡメッセージは、第２のＲＡメッセージに応答するためのアップリンク送信のための、第１の時間ロケーションとは異なる複数の時間ロケーションのうちの第２の時間ロケーションを指示する。この態様の一実施形態によれば、少なくとも１つのＲＡメッセージは、単一のＲＡメッセージである。複数の時間ロケーションは、第１のタイプの無線デバイスのための第１の時間ロケーションと、第２のタイプの無線デバイスのための第２の時間ロケーションとを含む。
【００１７】
この態様の一実施形態によれば、第１のタイプの無線デバイスのための第１の時間ロケーションは、第２のタイプの無線デバイスのための第２の時間ロケーションと同じである。この態様の一実施形態によれば、第１のタイプの無線デバイスは、レガシー無線デバイスである。第２のタイプの無線デバイスは、非レガシー無線デバイスである。この態様の一実施形態によれば、第１のタイプの無線デバイスのための第１の時間ロケーションは、第２のタイプの無線デバイスのための第２の時間ロケーションとは異なる。第２の時間ロケーションは、第１の時間ロケーションのシグナリングレイテンシと比較して、シグナリングレイテンシを低減する。この態様の一実施形態によれば、複数の時間ロケーションは、第１の時間ロケーションと、第１の時間ロケーションとは異なる第２の時間ロケーションとを含む。第１の時間ロケーションは、アップリンク送信のためのサブフレームｎ＋ｋ１を指示し、ここで、ｋ１が、６以上のうちの１つである。第２の時間ロケーションは、アップリンク送信のためのサブフレームｎ＋ｋ２を指示し、ここで、ｋ２が６よりも小さい。この態様の一実施形態によれば、ＲＡプリアンブルメッセージが受信される。ＲＡメッセージは、受信されたＲＡプリアンブルメッセージに応答して送信される。
【００１８】
本開示の別の態様によれば、無線デバイスが提供される。無線デバイスは、少なくとも１つのランダムアクセス（ＲＡ）メッセージを受信するように設定された、デバイス処理回路要素を含む。少なくとも１つのＲＡメッセージは、無線リソースの指示を含み、無線リソースは、受信された少なくとも１つのＲＡメッセージに応答するためのアップリンク送信のための複数の時間ロケーションにおいて有効である。デバイス処理回路要素は、アップリンク送信のための複数の時間ロケーションのうちの１つに従って、応答メッセージを送信するように更に設定される。
【００１９】
この態様の一実施形態によれば、少なくとも１つのＲＡメッセージは、第１のＲＡメッセージと第２のＲＡメッセージとを含む。第１のＲＡメッセージは、第１のＲＡメッセージに応答するためのアップリンク送信のための、複数の時間ロケーションのうちの第１の時間ロケーションを指示する。第２のＲＡメッセージは、第２のＲＡメッセージに応答するためのアップリンク送信のための、第１の時間ロケーションとは異なる複数の時間ロケーションのうちの第２の時間ロケーションを指示する。送信された応答メッセージは、第１の時間ロケーションと第２の時間ロケーションとのうちの１つに従って送信される。
【００２０】
この態様の一実施形態によれば、少なくとも１つのＲＡメッセージは、単一のＲＡメッセージである。複数の時間ロケーションは、第１のタイプの無線デバイスのための第１の時間ロケーションと、第２のタイプの無線デバイスのための第２の時間ロケーションとを含む。送信された応答メッセージは、第１のタイプの無線デバイスのための第１の時間ロケーションと、第２のタイプの無線デバイスのための第２の時間ロケーションとのうちの１つに従って送信される。この態様の一実施形態によれば、第１のタイプの無線デバイスは、レガシー無線デバイスである。第２のタイプの無線デバイスは、非レガシー無線デバイスである。
【００２１】
この態様の一実施形態によれば、第１のタイプの無線デバイスのための第１の時間ロケーションは、第２のタイプの無線デバイスのための第２の時間ロケーションと同じである。この態様の一実施形態によれば、第１のタイプの無線デバイスのための第１の時間ロケーションは、第２のタイプの無線デバイスのための第２の時間ロケーションとは異なる。第２の時間ロケーションは、第１の時間ロケーションのシグナリングレイテンシと比較して、シグナリングレイテンシを低減する。この態様の一実施形態によれば、複数の時間ロケーションは、第１の時間ロケーションと、第１の時間ロケーションとは異なる第２の時間ロケーションとを含む。第１の時間ロケーションは、アップリンク送信のためのサブフレームｎ＋ｋ１を指示し、ここで、ｋ１が、６以上のうちの１つである。第２の時間ロケーションは、アップリンク送信のためのサブフレームｎ＋ｋ２を指示し、ここで、ｋ２が６よりも小さい。この態様の一実施形態によれば、デバイス処理回路要素は、ＲＡプリアンブルメッセージを送信するように更に設定される。ＲＡメッセージは、送信されたＲＡプリアンブルメッセージに応答して受信される。
【００２２】
本開示の別の態様によれば、無線デバイスのための方法が提供される。少なくとも１つのランダムアクセス（ＲＡ）メッセージが、受信される。少なくとも１つのＲＡメッセージは、無線リソースの指示を含み、無線リソースは、受信された少なくとも１つのＲＡメッセージに応答するためのアップリンク送信のための複数の時間ロケーションにおいて有効である。アップリンク送信のための複数の時間ロケーションのうちの１つに従って、応答メッセージが送信される。
【００２３】
この態様の一実施形態によれば、少なくとも１つのＲＡメッセージは、第１のＲＡメッセージと第２のＲＡメッセージとを含む。第１のＲＡメッセージは、第１のＲＡメッセージに応答するためのアップリンク送信のための、複数の時間ロケーションのうちの第１の時間ロケーションを指示する。第２のＲＡメッセージは、第２のＲＡメッセージに応答するためのアップリンク送信のための、第１の時間ロケーションとは異なる複数の時間ロケーションのうちの第２の時間ロケーションを指示する。送信された応答メッセージは、第１の時間ロケーションと第２の時間ロケーションとのうちの１つに従って送信される。
【００２４】
この態様の一実施形態によれば、少なくとも１つのＲＡメッセージは、単一のＲＡメッセージであり、複数の時間ロケーションは、第１のタイプの無線デバイスのための第１の時間ロケーションと、第２のタイプの無線デバイスのための第２の時間ロケーションとを含む。送信された応答メッセージは、第１のタイプの無線デバイスのための第１の時間ロケーションと、第２のタイプの無線デバイスのための第２の時間ロケーションとのうちの１つに従って送信される。この態様の一実施形態によれば、第１のタイプの無線デバイスは、レガシー無線デバイスである。第２のタイプの無線デバイスは、非レガシー無線デバイスである。
【００２５】
この態様の一実施形態によれば、第１のタイプの無線デバイスのための第１の時間ロケーションは、第２のタイプの無線デバイスのための第２の時間ロケーションと同じである。この態様の一実施形態によれば、第１のタイプの無線デバイスのための第１の時間ロケーションは、第２のタイプの無線デバイスのための第２の時間ロケーションとは異なる。第２の時間ロケーションは、第１の時間ロケーションのシグナリングレイテンシと比較して、シグナリングレイテンシを低減する。この態様の一実施形態によれば、複数の時間ロケーションは、第１の時間ロケーションと、第１の時間ロケーションとは異なる第２の時間ロケーションとを含む。第１の時間ロケーションは、アップリンク送信のためのサブフレームｎ＋ｋ１を指示し、ここで、ｋ１が、６以上のうちの１つである。第２の時間ロケーションは、アップリンク送信のためのサブフレームｎ＋ｋ２を指示し、ここで、ｋ２が６よりも小さい。この態様の一実施形態によれば、ＲＡプリアンブルメッセージが送信される。ＲＡメッセージは、送信されたＲＡプリアンブルメッセージに応答して受信される。
【００２６】
本開示の別の態様によれば、アップリンク送信をプロビジョニングするためのネットワークノードが提供される。ネットワークノードは、少なくとも１つのランダムアクセス（ＲＡ）メッセージを送信することと、応答メッセージを受信することとを行うように設定された、スケジューリングモジュールを含む。少なくとも１つのＲＡメッセージは、少なくとも１つのＲＡメッセージに応答するためのアップリンク送信のための複数の時間ロケーションの指示を含む。応答メッセージは、アップリンク送信のための複数の時間ロケーションのうちの１つに従って受信される。
【００２７】
本開示の別の態様によれば、無線デバイスが提供される。アクセスモジュールは、少なくとも１つのランダムアクセス（ＲＡ）メッセージを受信するように設定される。少なくとも１つのＲＡメッセージは、無線リソースの指示を含み、無線リソースは、受信された少なくとも１つのＲＡメッセージに応答するためのアップリンク送信のための複数の時間ロケーションにおいて有効である。アクセスモジュールは、アップリンク送信のための複数の時間ロケーションのうちの１つに従って、応答メッセージを送信するように更に設定される。
【００２８】
したがって、本開示の詳細な態様は、無線デバイスが、制御プレーンレイテンシ低減を実施するための無線デバイスのキャパシティ（ｃａｐａｃｉｔｙ）（すなわち、ランダムアクセスプロセスなどのプロセス中の、レガシー無線デバイスと比較して低減された処理時間）をネットワークノードに指示することができる機構を与える。ネットワークノードは、複数の時間ロケーションにおいて有効であるリソースの指示を、無線デバイスに与え得る。次いで、無線デバイスは、制御プレーンレイテンシ低減を利用するための無線デバイスの能力（ｃａｐａｂｉｌｉｔｙ）に従って、リソースを利用し得る。無線デバイスが、制御プレーンレイテンシ低減を利用することが可能である場合、無線デバイスは、複数の時間ロケーションのうちの第１の時間ロケーションにおいて応答メッセージを送信し得、無線デバイスが、制御プレーンレイテンシ低減を利用することができない場合、無線デバイスは、複数の時間ロケーションのうちの第２の時間ロケーションにおいて応答メッセージを送信し得る。したがって、ネットワークノードは、応答メッセージを送信するために無線デバイスによってどちらの時間ロケーションが利用されるかに従って、無線デバイスが制御プレーンレイテンシ低減を実施することが可能であるかどうかを決定し得る。
【００２９】
この概念は、無線デバイスの他の能力のシグナリングに拡張され得る。したがって、概して、無線デバイスは、複数の時間ロケーションにおいて有効であるリソースをグラントされ得る。それらの時間ロケーションのうちの特定の１つを選択することによって、無線デバイスは、特定の機能、たとえば、無線通信ネットワークにおいて実装される電気通信規格の特徴を実施するための無線デバイスの能力を、暗黙的にシグナリングすることができる。たとえば、無線デバイスは、より高次のＭＩＭＯなど、特定の送信方式を利用するための無線デバイスの能力をシグナリングし得る。
【００３０】
本実施形態、ならびに本実施形態の付随する利点および特徴のより完全な理解が、添付の図面とともに考慮されるとき、以下の詳細な説明を参照することによって、より容易に理解されよう。
【図面の簡単な説明】
【００３１】
【図１】ランダムアクセス（ＲＡ）シグナリングを実施するための、ＬＴＥにおけるＲＡのためのシステムのブロック図である。
【図２】３ＧＰＰ  ＴＳ  ３６．３２１および３６．２１３において規定されているＬＴＥにおけるランダムアクセスシグナリングのブロック図である。
【図３】本開示の原理による、アップリンク（ＵＬ）グラントのプロビジョニングのための例示的なシステムの図である。
【図４】本開示の原理による、スケジューリングコード３０の例示的なスケジューリングプロセスの流れ図である。
【図５】本開示の原理による、アクセスコード４２の例示的なアクセスプロセスの流れ図である。
【図６】本開示の原理による、ネットワークノード１６の代替実施形態のブロック図である。
【図７】本開示の原理による、無線デバイス１８の代替実施形態のブロック図である。
【図８】本開示の原理による、ネットワークノードにおける方法の流れ図である。
【図９】本開示の原理による、無線デバイスにおける方法の流れ図である。
【図１０】本開示の原理による、無線デバイスとネットワークノードとの間の信号のシグナリング図である。
【図１１】本開示の原理による、無線デバイスとネットワークノードとの間の信号の更なるシグナリング図である。
【発明を実施するための形態】
【００３２】
本明細書で使用される、「第１の」および「第２の」、「上部」および「下部」など、関係を示す用語は、あるエンティティまたは要素を別のエンティティまたは要素と区別するためにのみ使用され得、必ずしも、そのようなエンティティまたは要素間の物理的または論理的な関係または順序を必要とするまたは暗示するものではない。
【００３３】
別段に規定されていない限り、本明細書で使用される（技術用語および科学用語を含む）すべての用語は、本開示が属する技術の当業者によって通常理解されるものと同じ意味を有する。本明細書で使用される用語は、本明細書および関連技術の文脈におけるそれらの用語の意味に従う意味を有するものとして解釈されるべきであり、明確にそのように本明細書で規定されていない限り、理想的なまたは過度に形式的な意味において解釈されないことを更に理解されよう。
【００３４】
本明細書で説明される実施形態では、結合用語（ｊｏｉｎｉｎｇ  ｔｅｒｍ）「と通信している（ｉｎ  ｃｏｍｍｕｎｉｃａｔｉｏｎ  ｗｉｔｈ）」などは、たとえば、物理的な接触、誘導、電磁放射、無線シグナリング、赤外線シグナリングまたは光シグナリングによって達成され得る、電気またはデータ通信を指示するために使用され得る。複数の構成要素が相互動作し得ること、ならびに修正および変形が、電気およびデータ通信を達成することについて可能であることを、当業者は諒解されよう。
【００３５】
次に、同様の参照符号が同様の要素を指す図面を参照すると、図３では、本発明の原理による、アップリンク（ＵＬ）グラントのプロビジョニングのための例示的なシステムが示されており、全体的に「１４」として指定されている。システム１４は、１つまたは複数のノード１６と、１つまたは複数の無線デバイス１８とを含む。ノード１６は、基地局、無線基地局、基地トランシーバ局、基地局コントローラ、ネットワークコントローラ、エボルブドノードＢ（ｅＮＢ）、ノードＢ、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）、コアネットワークノード（たとえば、ＭＭＥ、ＳＯＮノード、協調ノード、測位ノード、ＭＤＴノードなど）などの無線ネットワークノード、更には、外部ノード（たとえば、第三者ノード、現在のネットワークの外部のノード）などを含み得る、任意の種類のネットワークノードであり得る。１つまたは複数の実施形態では、ノード１６に関して本明細書で説明される機能は、ネットワーククラウドにおいてなど、いくつかのノード１６間での分散的な様式で実施される。
【００３６】
ネットワークノード１６は、ＬＴＥベース通信プロトコルなど、当技術分野で知られている１つまたは複数の通信プロトコルを使用して無線デバイス１８と通信するための、１つまたは複数の送信機２０と１つまたは複数の受信機２２とを含む。１つまたは複数の実施形態では、送信機２０および受信機２２は、１つまたは複数の通信インターフェースを含むか、または１つまたは複数の通信インターフェースによって置き換えられる。
【００３７】
ネットワークノード１６は処理回路要素２４を含む。処理回路要素２４は、プロセッサ２６とメモリ２８とを含む。処理回路要素２４は、処理および／または制御のための集積回路要素、たとえば、１つまたは複数のプロセッサおよび／またはプロセッサコアおよび／またはＦＰＧＡ（フィールドプログラマブルゲートアレイ）および／またはＡＳＩＣ（特定用途向け集積回路要素）を含み得る。プロセッサ２６は、メモリ２８にアクセスする（たとえば、メモリ２８に書き込む、および／またはメモリ２８から読み取る）ように設定され得、メモリ２８は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。そのようなメモリ２８は、プロセッサ２６によって実行可能なコード、ならびに／あるいは他のデータ、たとえば、通信に関係するデータ、たとえば、ノードの設定および／またはアドレスデータなどを記憶するように設定され得る。
【００３８】
処理回路要素２４は、本明細書で説明される方法および／またはプロセスのいずれをも制御するように、ならびに／あるいはそのような方法および／またはプロセスを、たとえば、ネットワークノード１６によって実施させるように、設定され得る。対応する命令がメモリ２８に記憶され得、メモリ２８は、プロセッサ２６に読取り可能であり、および／またはプロセッサ２６に読取り可能に接続され得る。１つまたは複数のプロセッサ２６は、本明細書で説明されるノード１２の機能を実施するように設定される。メモリ２８は、データ、プログラマチックソフトウェアコードおよび／または本明細書で説明される他の情報を記憶するように設定される。メモリ２８は、スケジューリングコード３０を記憶するように設定される。たとえば、スケジューリングコード３０は、プロセッサ２６によって実行されたとき、プロセッサ２６に、図４に関して詳細に論じられるプロセスを実施させる命令を含む。ネットワークノード１６によって実施されるものとして本明細書で説明される機能が、複数のネットワークノード１６上に分散されることに更に留意されたい。言い換えれば、本明細書で説明されるネットワークノードの機能は、単一の物理デバイスによる実施に限定されず、実際は、単一の物理的ロケーション内の、またはインターネットなどのネットワークにわたる、いくつかの物理デバイス間で分散され得ると考えられる。
【００３９】
無線デバイス１８は、システム１４中のネットワークノード１６および／または他のエンティティと通信するための、１つまたは複数の送信機３２と１つまたは複数の受信機３４とを含む。無線デバイス１８は、当技術分野で知られている無線（ｒａｄｉｏ）または無線（ｗｉｒｅｌｅｓｓ）信号を通信することができるデバイスの中でも、無線通信デバイス、センサーデバイス、ターゲットデバイス、デバイスツーデバイス無線デバイス、ユーザ機器（ＵＥ）、マシン型無線デバイスまたはマシンツーマシン通信が可能な無線デバイス、無線デバイスを装備したセンサー、タブレット、モバイル端末、携帯電話、ラップトップ、コンピュータ、機器、自動車、スマートフォン、ラップトップ組込み装備（ＬＥＥ）、ラップトップ搭載機器（ＬＭＥ）、ＵＳＢドングル、および顧客構内機器（ＣＰＥ）であり得る。
【００４０】
無線デバイスは処理回路要素３６を含む。処理回路要素３６は、プロセッサ３８とメモリ４０とを含む。処理回路要素３６は、処理および／または制御のための集積回路要素、たとえば、１つまたは複数のプロセッサおよび／またはプロセッサコアおよび／またはＦＰＧＡ（フィールドプログラマブルゲートアレイ）および／またはＡＳＩＣ（特定用途向け集積回路要素）を含み得る。プロセッサ３８は、メモリ４０にアクセスする（たとえば、メモリ４０に書き込む、および／またはメモリ４０から読み取る）ように設定され得、メモリ４０は、任意の種類の揮発性および／または不揮発性メモリ、たとえば、キャッシュおよび／またはバッファメモリおよび／またはＲＡＭ（ランダムアクセスメモリ）および／またはＲＯＭ（読取り専用メモリ）および／または光メモリおよび／またはＥＰＲＯＭ（消去可能プログラマブル読取り専用メモリ）を含み得る。そのようなメモリ４０は、プロセッサ３８によって実行可能なコード、ならびに／あるいは他のデータ、たとえば、通信に関係するデータ、たとえば、ノードの設定および／またはアドレスデータなどを記憶するように設定され得る。
【００４１】
処理回路要素３６は、本明細書で説明される方法および／またはプロセスのいずれをも制御するように、ならびに／あるいはそのような方法および／またはプロセスを、たとえば、無線デバイス１８によって実施させるように、設定され得る。対応する命令がメモリ４０に記憶され得、メモリ４０は、プロセッサ３８に読取り可能であり、および／またはプロセッサ３８に読取り可能に接続され得る。
【００４２】
１つまたは複数のプロセッサ３８は、本明細書で説明される無線デバイス１８の機能を実施するように設定される。メモリ４０は、データ、プログラマチックソフトウェアコードおよび／または本明細書で説明される他の情報を記憶するように設定される。メモリ４０は、アクセスコード４２を記憶するように設定される。たとえば、アクセスコード４２は、プロセッサ３８によって実行されたとき、プロセッサ３８に、図５に関して詳細に論じられるプロセスを実施させる命令を含む。
【００４３】
新しいタイプの無線デバイス１８、たとえば、非レガシー無線デバイス１８の場合、無線リソース制御（ＲＲＣ）接続再開要求について処理遅延が低減され得る。しかしながら、ネットワークノード１６は、ランダムアクセス（ＲＡ）応答グラントを送る時点で、無線デバイス１８がレガシータイプのものであるのか、新しいタイプのものであるのかを知らない。
【００４４】
本開示は、無線デバイス１８からのｍｓｇ３、すなわち、ＲＡメッセージ３または応答メッセージのスケジューリング機会（ｓｃｈｅｄｕｌｉｎｇ  ｏｐｐｏｒｔｕｎｉｔｉｅｓ）をオーバープロビジョニングする。一実施形態では、ネットワークノード１６は、ＲＡ応答グラントを各々含んでいる２つのＲＡ応答メッセージを、無線デバイス１８に送る。一方は、ｍｓｇ３のためのｎ＋ｋ１タイミングをもつレガシーメッセージであり、他方は、ｍｓｇ３のための新しいｎ＋ｋタイミングをもつ新しいメッセージであることになる。代替的に、新しいタイプの無線デバイス１８は、ＲＡ応答グラントを受信するとき、新しいｎ＋ｋタイミングを適用する。
【００４５】
これは、アイドル（ＩＤＬＥ）モードと接続（ＣＯＮＮＥＣＴＥＤ）モードとの間の遷移のためのレイテンシが低減されることを可能にする。たとえば、ランダムアクセス中に、ネットワークノード１６は、ｍｓｇ３のための、レガシータイミングとより短いタイミングの両方をスケジュールし、新しいタイプの無線デバイス１８は、新しいＲＡ応答メッセージを読み取ること、または新しいタイミングをレガシーメッセージに適用することのいずれかによって、より短いタイミングを使用し、レガシー無線デバイス１８のプロシージャは影響を及ぼされない。
【００４６】
リソースのスケジューリング
ＲＡ応答を送る時点で、ネットワークノード１６は、無線デバイス１８がレガシータイプのものであるのか、新しいタイプのものであるのかを知らない。したがって、ネットワークノード１６は、無線デバイス１８からのｍｓｇ３を、レガシー無線デバイス１８の場合はタイミングｎ＋ｋ１で受信し、また、新しいタイプの無線デバイス１８の場合はタイミングｎ＋ｋで受信するように準備されることによって、ｍｓｇ３スケジューリング機会をオーバープロビジョニングする。したがって、ネットワークノード１６は、両方のリソースをスケジュールする。
【００４７】
ＲＡ応答グラントのオーバープロビジョニング
ネットワークノード１６は、ＲＡＣＨプリアンブルを受信した後の２つのＲＡ応答メッセージ、すなわち、レガシーＲＡ応答グラントと新しいＲＡ応答グラントとを発行する。
【００４８】
レガシーＲＡ応答グラント
これらの２つのＲＡ応答メッセージのうちの第１のものは、第３世代パートナーシッププロジェクト（３ＧＰＰ）技術仕様書（ＴＳ）３６．３２１および３６．２１３において規定されているアップリンク（ＵＬ）グラントを含んでいる、レガシーメッセージである。このＵＬグラントは、次のように説明される、レガシータイミングｎ＋ｋ１を有する。
【００４９】
Ｌｏｎｇ  Ｔｅｒｍ  Ｅｖｏｌｕｔｉｏｎ（ＬＴＥ）では、無線デバイス１８は、ＲＡ応答中のＵＬグラント情報に従って、ＵＬ遅延フィールドがゼロに設定されている場合、ＵＬ−ＳＣＨトランスポートブロックを第１のサブフレームｎ＋ｋ１、ｋ１≧６中で送信し、ここで、ｎ＋ｋ１は、物理アップリンク共有チャネル（ＰＵＳＣＨ）送信のための第１の利用可能なＵＬサブフレームである。無線デバイス１８は、ＵＬ遅延フィールドが１に設定されている場合、ＰＵＳＣＨ送信を、ｎ＋ｋ１後の次の利用可能なＵＬサブフレームに延期する。
【００５０】
レガシー無線デバイス１８は、このメッセージを復号し、続いて、ｍｓｇ３のためのＵＬグラントを使用することになる。
【００５１】
新しいＲＡ応答グラント
これらの２つのＲＡ応答メッセージのうちの第２のものは、新しいＵＬグラントを含んでいるメッセージである。このＵＬグラントは、ｎ＋ｋのタイミングを有する。一例として、このタイミングは、レガシー規定に従い、ｋ１がｋｎｅｗによって置き換えられる。新しいタイプの無線デバイス１８は、このメッセージを復号することができ、次いで、第１のＲＡ応答メッセージを廃棄することになる。レガシー無線デバイス１８は、第２のメッセージを復号しないことになり、したがって、第１のＲＡ応答メッセージのＵＬグラントを使用することになる。
【００５２】
単一のＲＡ応答グラント
代替実施形態では、１つのＲＡ応答のみがネットワークノード１６から送られる。このＲＡ応答は、レガシーＲＡ応答グラントと同等であり得るＲＡ応答グラントを含んでいる。たとえば、
−  レガシー無線デバイス１８は、当技術分野で知られている、３ＧＰＰ  ＴＳ  ３６．２１３および３６．３２１に記載されている、レガシータイミングｎ＋ｋ１を適用する。
−  新しいタイプの無線デバイス１８は、新しいタイミングｎ＋ｋを適用する。一例では、ＵＬ遅延ビット＝０である場合、ｋ＞＝ｋｎｅｗであり、ここで、ｎ＋ｋは、第１の利用可能なＵＬサブフレームである。ＵＬ遅延フィールドビット＝１である場合、無線デバイス１８は、送信を、ｎ＋ｋ後の次の利用可能なＵＬサブフレームに延期する。それにより、タイミングプロシージャは、レガシー規定に従い、６がｋｎｅｗによって置き換えられ得る。
【００５３】
例示的なタイミング
一例として、新しいタイプの無線デバイス１８は、ｋｎｅｗ＝４サブフレームのタイミングに従い、それにより、２ｍｓでシグナリングレイテンシを低減する。
【００５４】
したがって、ネットワークノード１６は、無線デバイス１８に、複数の時間ロケーションにおいて有効である送信リソースをプロビジョニングする。たとえば、ネットワークノード１６は、複数のメッセージを無線デバイス１８に送信し得、各メッセージは、それぞれの時間ロケーションにおけるリソースのグラントを含む。代替的に、ネットワークノード１６は、複数の時間ロケーションにおいて有効であるリソースのグラントを含むメッセージを、無線デバイス１８に送信し得る。リソース（たとえば送信周波数）は、異なる時間ロケーションにおいて、同じであるかまたは異なり得る。
【００５５】
この文脈では、「時間ロケーション」という用語は、無線通信ネットワークにおいて実装される特定の規格に従って規定された、時間インスタンスを指す。時間ロケーションのための好適な例は、送信時間間隔（ＴＴＩ：ｔｒａｎｓｍｉｓｓｉｏｎ  ｔｉｍｅ  ｉｎｔｅｒｖａｌ）、サブフレーム、タイムスロット、時間ミニスロットなどを含む。
【００５６】
したがって、ネットワークノード１６は、ＲＡ応答メッセージを送信するために無線デバイスによって使用されるリソースに基づいて、無線デバイス１８が制御メッセージを比較的迅速に処理することが可能である（たとえば、無線デバイス１８が新しいタイプの無線デバイスである）のか、無線デバイス１８が制御メッセージを比較的遅く処理することが可能である（たとえば、無線デバイス１８がレガシー無線デバイスである）のかを決定することが可能である。無線デバイス１８がレガシータイミング（すなわちｎ＋ｋ１）を適用する場合、ネットワークノード１６は、無線デバイス１８が、制御プレーン信号を比較的遅いレートにおいて（すなわち、レガシーレートにおいて）のみ処理することができると決定し得、無線デバイス１８が新しいタイミング（すなわち、ｎ＋ｋまたはｋｎｅｗ）を適用する場合、ネットワークノード１６は、無線デバイス１８が、制御プレーン信号を比較的より高速のレートにおいて処理することが可能であると決定し得る。
【００５７】
Ｍｓｇ４および更なるメッセージ
更なる実施形態では、ネットワークノード１６は、ＲＡプロシージャ（図２参照）の一部として、１つまたは複数の更なるメッセージを無線デバイス１８に送信する。たとえば、ネットワークノードは、ＲＡ競合解消またはＲＲＣ接続再開としても知られる、ｍｓｇ４を送信し得る。Ｍｓｇ４は、リソースのグラントを含むか、またはリソースのそのようなグラントを含む追加のメッセージが付随し得る。たとえば、追加のメッセージは、物理ダウンリンク制御チャネル（ＰＤＣＣＨ）など、ダウンリンク制御チャネル上での送信と、ダウンリンク制御情報（ＤＣＩ）を使用するリソースのグラントとを含み得る。リソースのグラントは、更なるメッセージｍｓｇ４に対する応答（たとえば、ＲＲＣ接続を確立するようにとの要求）など、１つまたは複数のアップリンクメッセージ、またはユーザデータを送信するために無線デバイス１８によって使用され得る。リソースは、無線デバイスがレガシー無線デバイスであるという決定に応答して、レガシータイミングに従って規定され得る。そのような例では、リソースは、無線デバイス１８によるより遅い処理を可能にするために、リソースのグラントを含んでいるメッセージの送信から比較的長い時間後である時間ロケーション（たとえば、Ｎ＋５、ここで、Ｎは、メッセージが送信された時間ロケーションである）を指示し得る。代替的に、リソースは、無線デバイスが新しいタイプの無線デバイスであるか、または、場合によっては、レガシーデバイスよりも迅速に制御プレーンメッセージを処理することが可能であるという決定に応答して、リソースのグラントを含んでいるメッセージの送信から比較的短い時間後である時間ロケーション（たとえば、Ｎ＋３）を指示し得る。
【００５８】
図４は、本開示の原理による、スケジューリングコード３０の例示的なスケジューリングプロセスの流れ図である。ノード処理回路要素２４が、少なくとも１つのランダムアクセス（ＲＡ）メッセージを送信する（ブロックＳ１１０）。１つまたは複数の実施形態では、少なくとも１つのＲＡメッセージは、無線リソースの指示を含み、無線リソースは、少なくとも１つのＲＡメッセージに応答するためのアップリンク送信のための複数の時間ロケーションにおいて有効である。１つまたは複数の実施形態では、少なくとも１つのＲＡメッセージは、本開示のセクションの中でも、「ＲＡ応答グラントのオーバープロビジョニング」および「単一のＲＡ応答グラント」において上記で説明された。ノード処理回路要素２４は、応答メッセージを受信する（ブロックＳ１１２）。１つまたは複数の実施形態では、応答メッセージは、アップリンク送信のための複数の時間ロケーションのうちの１つに従って受信される。１つまたは複数の実施形態では、応答メッセージ、たとえば、ｍｓｇ３は、本開示のセクションの中でも、「ＲＡ応答グラントのオーバープロビジョニング」および「単一のＲＡ応答グラント」において上記で説明された。ノード処理回路要素２４は、アップリンクメッセージを送信するための、無線デバイス（すなわち、ブロックＳ１１２において応答メッセージがそこから受信された無線デバイス）のためのリソースのグラントを含む、少なくとも１つの更なるメッセージを送信する（ブロックＳ１１３）。たとえば、アップリンクメッセージは、少なくとも１つの更なるメッセージに応答して送信され得る。１つまたは複数の実施形態では、更なるメッセージは、Ｍｓｇ４メッセージ、ＲＲＣ接続再開メッセージ、またはＲＡ競合解消メッセージである。代替実施形態では、更なるメッセージは、ＰＤＣＣＨなど、物理制御チャネル上で送信され、グラントされたリソースを規定するダウンリンク制御情報を含み得る。グラントされたリソースは、更なるメッセージｍｓｇ４に対する応答（たとえば、ＲＲＣ接続を確立するようにとの要求）など、１つまたは複数のアップリンクメッセージ、またはユーザデータを送信するために無線デバイス１８によって使用され得る。リソースは、ブロックＳ１１０におけるＲＡメッセージの送信に対する第１の時間ロケーションにおいて応答メッセージが受信されるという決定に応答する、更なるメッセージの送信に対する第１の時間ロケーションにおけるリソース、または、ブロックＳ１１０におけるＲＡメッセージの送信に対する第２の時間ロケーションにおいて応答メッセージが受信されるという決定に応答する、更なるメッセージの送信に対する第２の時間ロケーションにおけるリソースを含み得る。たとえば、リソースは、無線デバイス１８がレガシーデバイスであるという決定に応答して、レガシータイミングに従って規定され得、リソースは、無線デバイス１８が新しいタイプのデバイスであるという決定に応答して、新しいタイミングに従って規定され得る。上記の「例示的タイミング」および「Ｍｓｇ４および更なるメッセージ」を参照されたい。
【００５９】
図５は、本開示の原理による、アクセスコード４２の例示的なアクセスプロセスの流れ図である。デバイス処理回路要素３６が、少なくとも１つのランダムアクセス（ＲＡ）メッセージを受信する（ブロックＳ１１４）。１つまたは複数の実施形態では、少なくとも１つのＲＡメッセージは、無線リソースの指示を含み、無線リソースは、受信された少なくとも１つのＲＡメッセージに応答するためのアップリンク送信のための複数の時間ロケーションにおいて有効である。１つまたは複数の実施形態では、少なくとも１つのＲＡメッセージは、本開示のセクションの中でも、「ＲＡ応答グラントのオーバープロビジョニング」および「単一のＲＡ応答グラント」セクションにおいて上記で説明された。デバイス処理回路要素は、アップリンク送信のための複数の時間ロケーションのうちの１つに従って、応答メッセージを送信し得る（ブロックＳ１１６）。１つまたは複数の実施形態では、応答メッセージは、アップリンク送信のための複数の時間ロケーションのうちの１つに従って受信される。１つまたは複数の実施形態では、応答メッセージ、たとえば、ｍｓｇ３は、本開示のセクションの中でも、「ＲＡ応答グラントのオーバープロビジョニング」および「単一のＲＡ応答グラント」において上記で説明された。デバイス処理回路要素３６は、更なるＲＡメッセージに対する更なる応答メッセージを送信するための、無線デバイスのためのリソースのグラントを含む、少なくとも１つの更なるメッセージを受信する（ブロックＳ１１８）。１つまたは複数の実施形態では、更なるメッセージは、Ｍｓｇ４メッセージ、ＲＲＣ接続再開メッセージ、またはＲＡ競合解消メッセージである。代替実施形態では、更なるメッセージは、ＰＤＣＣＨなど、物理制御チャネル上で送信され、グラントされたリソースを規定するダウンリンク制御情報を含み得る。アップリンクメッセージは、たとえば、アップリンクデータ（たとえばユーザデータ）の送信であり得る。リソースは、ブロックＳ１１０におけるＲＡメッセージの送信に対する第１の時間ロケーションにおいて応答メッセージが受信されるという決定に応答する、更なるメッセージの送信に対する第１の時間ロケーションにおけるリソース、または、ブロックＳ１１０におけるＲＡメッセージの送信に対する第２の時間ロケーションにおいて応答メッセージが受信されるという決定に応答する、更なるメッセージの送信に対する第２の時間ロケーションにおけるリソースを含み得る。たとえば、リソースは、無線デバイス１８がレガシーデバイスであるという決定に応答して、レガシータイミングに従って規定され得、リソースは、無線デバイス１８が新しいタイプのデバイスであるという決定に応答して、新しいタイミングに従って規定され得る。上記の「例示的タイミング」および「Ｍｓｇ４および更なるメッセージ」を参照されたい。
【００６０】
図６は、本開示の原理による、ネットワークノード１６の代替実施形態のブロック図である。ネットワークノード１６は、図４に関して上記で説明されたプロセスを実施するように設定された、スケジューリングモジュール４４を含む。
【００６１】
図７は、本開示の原理による、無線デバイス１８の代替実施形態のブロック図である。無線デバイス１８は、図５のプロセスを実施するように設定された、アクセスモジュール４６を含む。
【００６２】
ＲＡ応答グラントタイミングの指示
一実施形態では、ネットワーク、たとえば、ネットワークノード１６またはネットワーク１４内の別のノードは、ＲＡ応答グラントのためのタイミングプロシージャを指示する。指示は、たとえば、システム情報（ＳＩ）中で、（たとえば、ＰＤＤＣＨ上の）Ｌ１／Ｌ２制御シグナリング中で、またはＲＡ応答メッセージ中で与えられ得る。この指示は、新しいタイプの無線デバイス１８が、ＲＡ応答グラントを読み取るときにより短いタイミングを適用することを、指示することができる。代替的に、ネットワーク、たとえば、ネットワークノード１６またはネットワーク１４内の別のノードは、新しいタイプの無線デバイス１８が新しいタイミングをそのために適用するべきである、新しいタイプのＲＡ応答メッセージを新しいタイプの無線デバイス１８が送信することを、新しいタイプの無線デバイス１８に指示することができる。
【００６３】
図８は、本開示の原理による、ネットワークノードにおける方法のフローチャートである。第１のステップにおいて、ネットワークノードは、（図ではリソースＡおよびＢと呼ばれる）複数の時間ロケーションにおいて有効である、無線デバイス１８へのリソースのグラントを与える。上述のように、グラントは、無線デバイスへの１つまたは複数のメッセージ中に含まれ得る。その後、複数の時間ロケーションのうちの１つにおいてリソースを使用して、無線デバイスから応答メッセージが受信される。特に図９に関する、以下の説明からわかるように、無線デバイスは、特定の機能を実施するための無線デバイスの能力（たとえば、無線通信ネットワーク内に実装される、規格において規定されている機能）および／または無線デバイスの現在の動作状態（たとえば、無線デバイスの現在の処理キャパシティ）に従って、時間ロケーションのうちの１つを選択する。したがって、ネットワークノードは、無線デバイスが、応答メッセージを送信するためにどの時間ロケーション使用したかを決定し、その時間ロケーションに基づいて、特定の機能を実施するための無線デバイスの能力および／または無線デバイスの現在の動作状態を推論する。無線デバイスがリソースＡを使用した場合、ネットワークノードは、後続のメッセージを送信するためのリソース（リソースＣ）のグラントを無線デバイスに与える。無線デバイスがリソースＢを使用した場合、ネットワークノードは、後続のメッセージを送信するためのリソース（リソースＤ）のグラントを無線デバイスに与える。たとえば、リソースＡは、第１のステップにおけるリソースのグラントの送信後の比較的後である時間ロケーションにおいて規定され得、リソースＢは、第１のステップにおけるリソースのグラントの送信後の比較的すぐ（すなわち、リソースＡよりもすぐ）である時間ロケーションにおいて規定され得る。同様に、リソースＣは、最終ステップにおけるリソースのグラントの送信後の比較的後である時間ロケーションにおいて規定され得、リソースＤは、最終ステップにおけるリソースのグラントの送信後の比較的すぐ（すなわち、リソースＣよりもすぐ）である時間ロケーションにおいて規定され得る。
【００６４】
図９は、本開示の原理による、無線デバイスにおける方法のフローチャートである。第１のステップにおいて、無線デバイスは、（図ではリソースＡおよびＢと呼ばれる）複数の時間ロケーションにおいて有効であり得る、無線デバイス１８へのリソースのグラントを受信する。上述のように、グラントは、無線デバイスへの１つまたは複数のメッセージ中に含まれ得る。無線デバイスは、特定の機能を実施するための無線デバイスの能力（たとえば、無線通信ネットワーク内に実装される、規格において規定されている機能）および／または無線デバイスの現在の動作状態（たとえば、無線デバイスの現在の処理キャパシティ）に従って、時間ロケーションのうちの１つを選択する。たとえば、無線デバイスが、特定の機能を実施することが不可能である（たとえば、無線デバイスが、制御プレーンメッセージを第１の比較的遅いレートにおいてのみ処理することができる）場合、および／または無線デバイスが、現在、比較的高い処理負荷（たとえば、しきい値を上回る処理負荷）を受けている場合、無線デバイスは、応答メッセージをネットワークノードに送信するためのリソースＡを選択し得る。無線デバイスが、その機能を実施することが可能である（たとえば、無線デバイスが、制御プレーンメッセージを第２の比較的速いレートにおいて処理することができる）場合、および／または無線デバイスが、現在、比較的低い処理負荷（たとえば、しきい値を下回る処理負荷）を受けている場合、無線デバイスは、リソースのグラントが複数の時間ロケーションにおいて有効であるのか、単一の時間ロケーションのみにおいて有効であるのかを決定し得る。単一の時間ロケーションの場合、無線デバイスは、同じくリソースＡを使用して応答メッセージを送信する。複数の時間ロケーションの場合、無線デバイスは、応答メッセージを送信するためのリソースＢを選択する。たとえば、リソースＢは、リソースＡよりも、第１のステップにおけるグラントの受信後の比較的すぐであり得る。
【００６５】
応答メッセージが送信された後に、後続のメッセージの送信のための更なるグラントが、ネットワークノードから受信される。リソースＡを使用して応答メッセージが送信された場合、グラントはリソースＣを含み、リソースＢを使用して応答メッセージが送信された場合、グラントはリソースＤを含む。リソースＤは、リソースＣよりも比較的すぐである時間ロケーションにおいて有効であり得る。
【００６６】
図９の様々なステップが、方法全体の有効性に影響を及ぼすことなしに、異なる順序で実施され得ることに留意されたい。たとえば、無線デバイスは、機能を実施するための無線デバイスの能力および／または無線デバイスの現在の処理負荷を決定するより前に、グラントが単一の時間ロケーションにおいて有効であるのか、複数の時間ロケーションにおいて有効であるのかを決定し得る。
【００６７】
図１０は、本開示の原理による、無線デバイスまたは端末とネットワークノードとの間のシグナリング図を示す。ネットワークノードは、無線デバイスにリソースのグラントをシグナリングし、リソースが１つまたは複数の時間ロケーションにおいて有効であるかどうかに関する指示を与える。代替的に、ネットワークノードは、異なる時間ロケーションにおいて各々有効であるリソースの複数のグラントを与え得る。
【００６８】
無線デバイスは、特定の機能を実施するための無線デバイスの能力（たとえば、無線通信ネットワーク内に実装される、規格において規定されている機能）および／または無線デバイスの現在の動作状態（たとえば、無線デバイスの現在の処理キャパシティ）に基づいて、どのリソースを使用すべきかを選択する。たとえば、機能は、無線デバイスが制御プレーンメッセージを処理することができるレートに関係し得る。無線デバイスは、次いで、選択されたリソースを利用してメッセージを送信する。
【００６９】
ネットワークノードは、メッセージを受信し、メッセージがその上で送信されたリソース（すなわち時間ロケーション）に基づいて、無線デバイスの、機能を実施するための能力および／または現在の動作状態を決定する。無線デバイスが、機能を実施することが可能であり、および／または比較的低い処理負荷を有する場合、ネットワークノードは、１つまたは複数の更なるアップリンクメッセージを送信するための無線デバイスへのリソースの比較的早期のグラントを送信し得る。したがって、制御プレーンメッセージを迅速に処理するための無線デバイスのアビリティ（ａｂｉｌｉｔｙ）は、シグナリングのレイテンシを低減するために利用され得る。無線デバイスが、機能を実施することが不可能であり、および／または比較的高い処理負荷を有する場合、ネットワークノードは、１つまたは複数の更なるアップリンクメッセージを送信するための無線デバイスへのリソース（すなわち、リソースの比較的早期のグラントよりも後の時間ロケーションにおけるリソース）の比較的後のグラントを送信し得る。
【００７０】
図１１は、ランダムアクセスプロシージャ中の、本開示の原理による、無線デバイスまたは端末とネットワークノードとの間のシグナリング図を示す。ネットワークノードは、無線デバイスへのリソースのグラントが１つまたは複数の時間ロケーションにおいて有効であるかどうかに関する指示を用いて、無線デバイスを事前設定し得る。代替的に、ネットワークノードは、リソースのグラント自体をもつそのような指示を与えるか、または異なる時間ロケーションにおいて各々有効であるリソースの複数のグラントを与え得る。
【００７１】
無線デバイスは、その後、ランダムアクセスプロシージャが始動すると、ランダムアクセスプリアンブルをネットワークノードに送信する。ネットワークノードは、時間Ｎにおいて、ランダムアクセス応答メッセージを無線デバイスに送信することによって応答する。ランダムアクセス応答メッセージは、無線デバイスがランダムアクセス応答メッセージに応答することができるリソースのグラントを含み、事前設定または他の方法に基づいて、１つまたは複数の時間ロケーションにおいて有効であり得る。たとえば、リソースは、時間ロケーションＮ＋３およびＮ＋５において有効であり得る。リソースが複数の時間ロケーションにおいて有効である場合、無線デバイスは、制御プレーンメッセージを迅速に処理するための無線デバイスの能力および／または無線デバイスの現在の動作状態（たとえば、無線デバイスの現在の処理キャパシティ）に基づいて、どのリソースを使用すべきかを選択する。たとえば、無線デバイスが、制御プレーンメッセージを比較的迅速に処理することが可能である場合、無線デバイスは、時間ロケーションＮ＋３におけるリソースを選択し得、無線デバイスが制御プレーンメッセージを比較的遅く処理することが可能である場合、無線デバイスは、時間ロケーションＮ＋５におけるリソースを選択し得る。無線デバイスは、次いで、選択されたリソースを利用して、メッセージ（たとえば、接続を確立または再開するようにとの要求）を送信する。
【００７２】
ネットワークノードは、そのメッセージを受信し、接続、たとえばＲＲＣ接続を確立または再開するためのコマンドを含むメッセージで応答する。ネットワークノードはまた、無線デバイスによってメッセージがその上で送信されたリソース（すなわち時間ロケーション）に基づいて、無線デバイスが制御プレーンメッセージを処理することが可能であるレート、および／または無線デバイスの現在の動作状態を決定する。無線デバイスが、制御プレーンメッセージを比較的迅速に処理することが可能であり、および／または比較的低い処理負荷を有する場合、ネットワークノードは、１つまたは複数の更なるアップリンクメッセージ（たとえば、接続確立完了または同様のもの）を送信するための比較的早期のリソースのグラントを、無線デバイスに送信し得る。したがって、制御プレーンメッセージを迅速に処理するための無線デバイスのアビリティは、シグナリングのレイテンシを低減するために利用され得る。無線デバイスが、制御プレーンメッセージを比較的遅く処理することが可能であり、および／または比較的高い処理負荷を有する場合、ネットワークノードは、１つまたは複数の更なるアップリンクメッセージを送信するための比較的後のリソース（すなわち、リソースの比較的早期のグラントよりも後の時間ロケーションにおけるリソース）のグラントを、無線デバイスに送信し得る。
【００７３】
当業者によって諒解されるように、本明細書で説明される概念は、方法、データ処理システム、および／またはコンピュータプログラム製品として具現され得る。したがって、本明細書で説明される概念は、完全にハードウェアの実施形態、完全にソフトウェアの実施形態、またはソフトウェア態様とハードウェア態様とを組み合わせる実施形態の形態をとり得、これらはすべて、本明細書では概して「回路」または「モジュール」と呼ばれることがある。更に、本開示は、コンピュータによって実行され得る媒体において具現されるコンピュータプログラムコードを有する、有形コンピュータ使用可能記憶媒体上のコンピュータプログラム製品の形態をとり得る。ハードディスク、ＣＤ−ＲＯＭ、電子ストレージデバイス、光ストレージデバイス、または磁気ストレージデバイスを含む、任意の好適な有形コンピュータ可読媒体が利用され得る。
【００７４】
方法、システムおよびコンピュータプログラム製品のフローチャート図および／またはブロック図を参照しながら、いくつかの実施形態が本明細書で説明される。フローチャート図および／またはブロック図の各ブロック、ならびにフローチャート図および／またはブロック図中のブロックの組合せは、コンピュータプログラム命令によって実装され得ることを理解されよう。これらのコンピュータプログラム命令は、（専用コンピュータをそれにより作成するための）汎用コンピュータ、専用コンピュータ、または機械を製造するための他のプログラマブルデータ処理装置のプロセッサに与えられ得、その結果、コンピュータまたは他のプログラマブルデータ処理装置のプロセッサを介して実行される命令は、フローチャートおよび／またはブロック図の１つまたは複数のブロックにおいて指定された機能／行為を実装するための手段を作成する。
【００７５】
これらのコンピュータプログラム命令はまた、コンピュータまたは他のプログラマブルデータ処理装置に特定の様式で機能するように指示することができるコンピュータ可読メモリまたは記憶媒体に記憶され得、その結果、コンピュータ可読メモリに記憶された命令は、フローチャートおよび／またはブロック図の１つまたは複数のブロックにおいて指定された機能／行為を実装する命令手段を含む製造品を製造する。
【００７６】
コンピュータプログラム命令はまた、コンピュータ実装プロセスを生成するために、一連の動作ステップをコンピュータまたは他のプログラマブル装置上で実施させるように、コンピュータまたは他のプログラマブルデータ処理装置にロードされ得、その結果、コンピュータまたは他のプログラマブル装置上で実行される命令は、フローチャートおよび／またはブロック図の１つまたは複数のブロックにおいて指定された機能／行為を実装するためのステップを提供する。
【００７７】
ブロックにおいて言及される機能／行為が、動作図において言及される順序から外れて行われ得ることを理解されたい。たとえば、連続して示されている２つのブロックが、事実上、実質的に同時に実行され得るか、またはそれらのブロックは、関与する機能性／行為に応じて、時々逆順で実行され得る。図のうちのいくつかは、通信の主要な方向を示すために通信経路上に矢印を含むが、図示された矢印に対して反対方向の通信が行われ得ることを理解されたい。
【００７８】
本明細書で説明される概念の動作を遂行するためのコンピュータプログラムコードが、Ｊａｖａ（登録商標）またはＣ＋＋など、オブジェクト指向プログラミング言語で書かれ得る。しかしながら、本開示の動作を遂行するためのコンピュータプログラムコードは、「Ｃ」プログラミング言語など、従来の手続き型プログラミング言語でも書かれ得る。プログラムコードは、完全にユーザのコンピュータ上で実行するか、部分的にユーザのコンピュータ上で実行するか、スタンドアロンソフトウェアパッケージとして実行するか、部分的にユーザのコンピュータ上でおよび部分的にリモートコンピュータ上で実行するか、または完全にリモートコンピュータ上で実行し得る。後者のシナリオでは、リモートコンピュータは、ローカルエリアネットワーク（ＬＡＮ）またはワイドエリアネットワーク（ＷＡＮ）を通してユーザのコンピュータに接続され得るか、あるいは接続は、（たとえば、インターネットサービスプロバイダを使用してインターネットを通して）外部コンピュータに対して行われ得る。
【００７９】
多くの異なる実施形態が、上記の説明および図面に関して、本明細書で開示された。これらの実施形態のあらゆる組合せおよび部分組合せを文字通り説明および図示することは、過度に繰返しが多く、不明瞭になることを理解されよう。したがって、すべての実施形態は、何らかのやり方および／または組合せで組み合わせられ得、図面を含む本明細書は、本明細書で説明される実施形態のすべての組合せおよび部分組合せと、それらを作製および使用する様式およびプロセスのすべての組合せおよび部分組合せとの完全な記載された説明を構成すると解釈されたく、ならびに、任意のそのような組合せまたは部分組合せに対して特許請求の範囲を支持するものとする。
【００８０】
本明細書で説明される実施形態は、上記の本明細書で具体的に図示および説明されたことに限定されないことが、当業者によって諒解されよう。更に、そうでないことが上記で述べられていない限り、添付の図面のすべてが一定の縮尺であるとは限らないことに留意されたい。上記の教示に照らして、様々な修正および変形が可能である。
【図１】
2020505837.tif 000003
【図２】
2020505837.tif 000004
【図３】
2020505837.tif 000005
【図４】
2020505837.tif 000006
【図５】
2020505837.tif 000007
【図６】
2020505837.tif 000008
【図７】
2020505837.tif 000009
【図８】
2020505837.tif 000010
【図９】
2020505837.tif 000011
【図１０】
2020505837.tif 000012
【図１１】
2020505837.tif 000013
【国際調査報告】
2020505837.tif 000014
2020505837.tif 000015
2020505837.tif 000016